(57)【要約】【課題】  携帯端末の高機能化が進む一方でこれらの機能を誰もが簡単に操作できるインタフェースは存在しない。【解決手段】  本発明の通信機能つき情報閲覧装置では，ネットワークと接続する通信部と、表示部と、ユーザ入力を受け付ける入力部と、演算部とから構成される情報閲覧装置であって，画面内をスクロールするアイコン２０１に携帯端末の機能や情報がリンクされており，アイコンを選択するだけで携帯端末の機能やインタネット上の情報，データフォルダ内のデータのアクセス可能である。【選択図】  図１
2005165491.tif 000002
【特許請求の範囲】
【請求項１】
ネットワークに接続される端末装置であって、ネットワークと通信を行う通信部と、表示部と、ユーザ入力を受け付ける入力部と、該通信部、表示部の制御及び演算を行う演算部とを有し、
上記表示部は、上記演算部で処理されるオブジェクトと関連付けられたアイコンを複数含む表示画面をスクロールさせながら表示し、所定の位置にカーソルを表示し、
上記演算部は、上記カーソルが上記複数のアイコンのいずれかにフォーカスしているときに上記入力部において該いずれかのアイコンを選択する選択入力を受け付けた場合に、該選択されたアイコンのと関連付けられたオブジェクトにアクセスすることを特徴とする端末装置。
【請求項２】
請求項１記載の端末装置であって、上記アイコンと関連付けられたオブジェクトは、上記演算部で実行されるアプリケーション、またはデータであって、該端末装置が有する記憶装置、上記ネットワークを介して該端末装置が接続可能である、サーバまたは他のユーザ端末に保持されるオブジェクトであることを特徴とする端末装置。
【請求項３】
請求項２記載の端末装置であって、上記アイコンと関連付けられたオブジェクトが上記ネットワークを介して接続可能な他のユーザ端末に保持されるオブジェクトである場合、該アイコンは、該他のユーザ端末がそのアイコンの表示を許可する場合に該端末装置に表示されることを特徴とする端末装置。
【請求項４】
請求項２記載の端末装置であって、上記アイコンと関連付けられたオブジェクトは上記ネットワークを介して接続可能な他のユーザ端末に関するオブジェクトであって、該他のユーザ端末に関するオブジェクトは、該他のユーザ端末におけるバッテリー状態、位置情報、または該他のユーザ端末からの着信情報を含むことを特徴とする端末装置。
【請求項５】
請求項１記載の端末装置であって、上記入力部は、方向を指定する入力装置を有し、上記表示画面のスクロール方向は上記入力装置を用いて入力される方向に基づいて制御されることを特徴とする端末装置。
【請求項６】
請求項１記載の端末装置であって、上記表示画面のスクロール方向はランダムに設定されることを特徴とする端末装置。
【請求項７】
請求項１記載の端末装置であって、上記表示部は、上記表示画面のスクロール方向を変更する際には、所定の時間にわたり該表示画面を停止させて表示し、該停止位置は、上記カーソルが何れかのアイコンにフォーカスする位置であることを特徴とする端末装置。
【請求項８】
請求項１記載の端末装置であって、上記表示画面のスクロールの速度は、上記入力部からの入力に基づいて制御されることを特徴とする端末装置。
【請求項９】
請求項１記載の端末装置であって、上記表示部は、上記カーソルがいずれかのアイコンにフォーカスしている場合、または何れかのアイコンが選択された場合に、上記フォーカスされているアイコンまたは選択されているアイコンに、該アイコンに対応する所定の文字列を併記することを特徴とする端末装置。
【請求項１０】
請求項２記載の端末装置であって、上記表示部は、上記アイコンと関連付けられているアプリケーションの状態の変化またはデータの変化に応じて、該アイコンの表示を変化させることを特徴とする端末装置。
【請求項１１】
請求項１記載の端末装置であって、上記表示部に表示されるアイコンは、上記入力部からの入力に応じて、個別のアイコンごとまたはアイコンの種別ごとに設定されることを特徴とする端末装置。
【請求項１２】
請求項１１記載の端末装置であって、上記表示部に表示されるアイコンがアイコンの種別ごとに設定される場合は、上記通信部は、該設定されるアイコンの種別情報を上記ネットワークを介して接続可能なコンテンツサーバへ通知し、該設定により作成されるアイコンは、上記コンテンツサーバが上記アイコンの種別情報に応じて選択して送信するデータに関連付けられることを特徴とする端末装置。
【請求項１３】
請求項１記載の端末装置であって、上記ネットワークを介して接続可能なコンテンツサーバから、該コンテンツサーバによって提供される情報サービスのリストを受信し、該リスト中から、上記入力部を用いて選択される情報サービスを上記コンテンツサーバに通知して該情報サービスと関連付けられるアイコンを作成しすることを特徴とする端末装置。
【請求項１４】
請求項１３記載の端末装置であって、上記表示部は、上記コンテンツサーバから送信される該情報サービスの情報の更新通知、または更新された情報の一部または全体の着信に応じて該情報サービスに関連付けられたアイコンの表示状態を変化させることを特徴とする端末装置。
【請求項１５】
ネットワークに接続されるサーバを用いて、該ネットワークに接続される端末装置に情報サービスを提供するサービス提供方法であって、
該端末装置は、上記ネットワークと通信を行う通信部と、表示部と、ユーザ入力を受け付ける入力部と、該通信部、表示部の制御及び演算を行う演算部とを有し、上記表示部に、該ネットワークを介して接続可能なサーバ装置から供給される情報サービスと関連付けられるアイコンをスクロールさせながら表示し、所定の位置に表示されるカーソルを用いて選択されたアイコンに関連付けられる情報サービスの情報を表示する端末装置であって、
上記サーバにおいて、該端末装置から要求する情報サービスを指定する指定情報を受信し、該要求サービスを該端末装置と対応付けて登録し、該端末装置の表示部に、該要求サービスに対応するアイコンを表示し、
該サーバが提供する情報サービスに新たなサービス情報が発生した場合に、該情報サービスを要求する端末装置を検索し、該端末装置に向けて、新たなサービス情報の発生を通知する情報発生通知、または新たに発生したサービス情報の少なくとも一部を送信し、該端末装置において、該情報サービスに対応付けられたアイコンが選択された場合に、該情報サービスで提供される情報を上記表示部に表示することを特徴とするサービス提供方法。
【請求項１６】
請求項１５記載のサービス提供方法であって、上記サーバから上記端末装置に向けて上記情報発生通知または上記発生したサービス情報の少なくとも一部を送信する際に、上記端末装置の表示部のアイコン表示状態を変更するために用いられる、アイコン表示制御情報またはアイコン情報をあわせて送信することを特徴とするサービス提供方法。
【請求項１７】
請求項１５記載のサービス提供方法であって、
該サーバが提供する情報サービスに新たなサービス情報が発生したときに、該端末装置に向けて、新たなサービス情報の発生を通知する情報発生通知、または新たに発生したサービス情報の一部を送信する場合は、
該端末装置において該情報サービスに対応するアイコンが選択されたことの通知を受けて、上記新たなサービス情報の全体または未送出の部分を上記端末装置に送信することを特徴とするサービス提供方法。
【請求項１８】
ネットワークを介して接続される複数の端末装置間で情報を交換する端末間情報交換方法であって、
第１の端末装置は、上記ネットワークと通信を行う通信部と、表示部と、ユーザ入力を受け付ける入力部と、該通信部、表示部の制御及び演算を行う演算部とを有し、上記表示部に、第２の端末装置と関連付けられるアイコンを含む複数のアイコンをスクロールさせながら表示し、上記入力部からの入力に応じて、所定の位置に表示されるカーソルを用いて何れかのアイコンを選択し、
上記第１の端末装置において上記第２の端末装置と関連付けられるアイコンが選択された場合には、上記第１の端末装置は上記第２の端末装置にアクセスを行う、または上記第２の端末装置に関する情報を保持する、上記ネットワークに接続されるサーバ装置または上記第１の端末装置の記憶装置にアクセスすることを特徴とする端末間情報交換方法。
【請求項１９】
請求項１８記載の端末間情報交換方法であって、上記第１の端末装置は、上記第２の端末装置の端末状態情報の提供を受け、上記第２の端末装置と関連付けられるアイコンは、該第２の端末装置の端末状態情報に応じて表示が制御されることを特徴とする端末間情報交換方法。
【請求項２０】
請求項１９記載の端末間情報交換方法であって、上記第２の端末装置の端末状態情報は、上記第１の端末装置に該端末状態情報を提供することを上記第２の端末装置が許可することを条件として上記第１の端末装置に提供されることを特徴とする端末間情報交換方法。
【発明の詳細な説明】
【技術分野】
【０００１】
本発明は，携帯電話その他の携帯端末のインタフェースに関する。
【背景技術】
【０００２】
近年，ITインフラの整備が進み，携帯電話を利用して大量のデータを高速に通信することができるようになった。また，携帯電話の高機能化，多機能化に伴い，本来の機能である通話機能に加え，メール，Webブラウザ，カメラなどの機能をもつ携帯電話が普及している。このような状況においては，ユーザは携帯電話を単なる通話のための通信機器としてのみではなく，情報取得やメディアデータの管理のための情報端末として利用している。
【０００３】
このように多くの機能やインタネット上の情報を携帯電話で操作しアクセスする方法として，各機能を階層的なメニューとしてユーザに提示する方法がある。たとえば，携帯電話の最初の画面（以下トップメニューという）には電話，メール，Webブラウザ，データフォルダ，などのいくつかの項目が選択できるようになっており，ユーザはその中から1つを選択する。次に選択したものの中からさらに小項目を選択する。例えば，メールを選択した場合，E-メールか端末間通信かを選択する。あるいは，Webブラウザの場合には，以前端末に登録したURLか，新規にURL を入力するか，URLの検索を行うか，などを選択する。
【発明の開示】
【発明が解決しようとする課題】
【０００４】
しかし，携帯電話の多機能化が進み，ユーザがアクセスする情報量が増大する一方で，階層的なメニュー構造の階層が深くなり，ユーザが目的の機能を実行するために複雑な数ステップの操作が必要である。このため，機能や情報へのアクセスに時間がかかったり，情報へのリアルタイムのアクセスが困難であったりする。これは，携帯電話の画面サイズが小さいため一度に画面に表示できる情報量が少ないこと，ボタン操作のみによることがその主な原因である。また，このような操作性の悪さが原因で，すべての機能を使いこなせていない場合や，有益な情報取得ができない場合がある。
【０００５】
本発明の目的は，かかる問題を解消し，携帯電話の操作性を向上させ，機能や情報へのアクセスを容易に行うことを可能にするインタフェースを提供することである。
【課題を解決するための手段】
【０００６】
上記目的を達成するために，本発明は，携帯端末の各機能や情報をそれらを象徴する画像（以下アイコンという）として携帯端末画面に表示し，複数のアイコンをスクロールすることで、順次画面に表示させるものである。
また，アイコンを選択するためのカーソルは画面内の所定位置に表示し，アイコンにカーソルがフォーカスされるとカーソルの色が変化してユーザにそのアイコンが選択可能であることを通知し，該アイコンの内容を示す文字列（以下キャプションという）がアイコン近傍に表示されるものである。
また，カーソルでフォーカスされたアイコンを選択すると，該アイコンにリンクされた機能や情報にアクセスすることが可能とするものである。
【発明の効果】
【０００７】
本発明により，複数の機能や情報を画面内をスクロールするアイコンとしてユーザに表示するため，ユーザが目的のアイコンを選択するだけで簡単に機能や情報にアクセスすることが可能である。
また，本発明のインタフェースを利用すると，情報の変化をアイコンの変化として画面に表示するため，ユーザがリアルタイムに情報の変化を認識することが可能である。
本発明のインタフェースにより，携帯端末の多くの機能を簡単な操作で利用できる。また，膨大な情報へのアクセスを誰もが簡単に行うことが可能になり，ユーザが予期しなかった有益な情報を有効に取得することも可能になる。
【発明を実施するための最良の形態】
【０００８】
以下，本発明の実施形態を図面を用いて説明する。
以下の実施例の説明において，携帯端末とは、携帯電話、ＰＤＡなどの携帯機器をさす。アイコンとは，携帯端末の機能や情報を象徴する画像をさし，カーソルとは，画面の中の複数のアイコンの中からひとつのアイコンを選択するための印をさし，また，クリックとは，アイコンにカーソルがフォーカスされたとき選択する入力をさす。
【０００９】
図１は本発明の一実施形態を示す概略構成図であり，１００、１２０は携帯端末である。携帯端末は、表示部１０１，入力部１０２，通信部１０３，演算部１０４，記憶装置１０５，カメラ情報読み取り部１０６，各種センサ情報読み取り部１０７，デバイス情報読み取り部１０８，情報閲覧プログラム１０９，データフォルダ１１０，通話のための機能を有する通話部１１１，メール機能１１２，Webブラウザ１１３を具備している。携帯端末１００、１２０は、インタネット網１１４を介して，WWWサーバ１１５，コンテンツ管理サーバ１１６と接続される。コンテンツ管理サーバ１１６は、コンテンツを配信するために、コンテンツを蓄積する記憶部と、コンテンツ配信を制御する制御部と、インタネット網に接続され、データの送受信を行う通信部を備え、必要に応じて記憶部にユーザ情報を記憶する。ユーザ情報とは、ユーザが要求するサービスの登録設定や、情報を交換し合う携帯端末のグループ情報等である。
【００１０】
図1において本発明のインタフェースは，携帯電話の本来の機能である通信機能に加え，メール，Web ブラウザ，WWWサーバやコンテンツサーバから提供される情報の取得，カメラで撮影した画像データの管理，各種センサからの情報取得などを取り扱うものとする。
【００１１】
記憶装置１０５には情報閲覧プログラム１０９が格納されており，演算部１０４が情報閲覧プログラム１０９を起動すると通話部１１１，メール１１２，Webブラウザ１１３，データフォルダ１１０に格納したデータ，WWWサーバ１１５やコンテンツ管理サーバ１１６が提供する情報がアイコンとして画面に表示される。
【００１２】
アイコンには，携帯端末の各機能をリンクさせる。ここでは，携帯端末の機能とは，電話１１１，メール１１２，Webブラウザ１１３，カメラ１０６，センサ１０７とするが，そのほかに携帯端末に備わっている機能でもよい。
またアイコンにはインタネットを経由して取得できるコンテンツもリンクさせる。ここでは，インタネットを経由して取得できるコンテンツとは，WWWサーバ１１５やコンテンツ管理サーバ１１６が提供する情報とするが，そのほかのインタネットを介して取得できる情報でもよい。
【００１３】
またアイコンには，サーバを経由しないで携帯端末間で通信されるコンテンツをリンクさせてもよい。例えば、携帯端末１２０の情報を携帯端末１００のアイコンにリンクさせて、携帯端末１００のユーザが携帯端末１２０の状態を把握できるようにする。ここでは，携帯端末間で通信する情報とは，友人とのコミュニケーションにおける友人の状態（ヒマ，仕事中，授業中，など）や，携帯端末が取得できるデバイス情報とするが，そのほかの情報でもよい。携帯端末１２０の情報を携帯端末１００のアイコンにリンクさせるための設定、およびリンクさせるコンテンツの設定は、携帯端末１００からの要求、携帯端末１２０での許可などによって行われる。相互にユーザ情報を交換し合う携帯端末をグループとして登録してもよい。
【００１４】
ユーザの状態情報は、携帯端末のユーザが明示的に入力するものであってもよいし、デバイス情報をもとに推定されるユーザ状態でもよい。携帯端末が取得できる情報とは，ここでは，携帯端末のモード（例えば，マナーモードやサイレントモード）情報，充電中かどうかという情報，開閉式の携帯端末では携帯端末の開閉状態，電界強度，バッテリ残量，電源のオンまたはオフ，などのデバイス情報のこととするが，そのほかの情報でもよい。そのほか例えば、携帯端末が最後に操作されてからの時間、時刻、GPSその他の手段によって入手される携帯端末の位置情報や移動情報、などによってもユーザ状態を推定することができる。また、携帯端末１００のアイコンにリンクさせる携帯端末１２０の情報は、携帯端末１２０のほか、コンテンツ管理サーバ１１６で作成してもよい。
【００１５】
またアイコンには外部メモリに格納された情報をリンクさせることができる。
またアイコンには放送もリンクさせることができる。ここで放送とは，テレビ放送，地上波デジタル放送，ラジオ放送などを指す。
また，アイコンは例えばボタン操作によりアイコンの内容を意味する文字列のならびに変換され表示される。また情報の内容を表す文字列のならびを例えばボタン操作によって同じ内容をあらわすアイコンに変換し表示する逆の操作ができる。
【００１６】
図2は本発明の画面を示す。図2に表示される複数のアイコン２０１はグリッド２０２とともに画面内をスクロールしている。ここで、スクロールとは、例えば、所定の位置にアイコンが置かれた仮想空間中の一部または全体を表示画面に表示する範囲とし、表示画面に表示する範囲、仮想空間をどの位置・角度から表示するか、などを変化させ、アイコンの表示位置が時間に応じて変化することをいう。スクロールさせることにより、一度に画面に表示できるよりも多くのアイコンを、順次表示することが可能となる。
【００１７】
カーソル２０３はアイコンと同様にはスクロールされず、画面の所定の位置に表示される。ここでは所定の位置を画面中央としているが，ほかの位置でもよい。また、ボタン操作等により表示位置を変更できるようにしてもよい。
また，アイコン２０１にカーソル２０３がフォーカスされるとカーソル２０３の色が変化する、またはアイコンの色や大きさが変化する、点滅するなどの強調表示がされて、フォーカス状態になっていることをユーザが確認できるようにする。フォーカス状態とは、アイコンとカーソルの表示位置が一致する状態、または近傍にある状態である。フォーカス状態のときに該アイコン２０１の内容を示すキャプション２０４を該アイコン２０１の近傍に表示してもよい。ユーザは、フォーカス状態のときにクリック入力をすることで、フォーカスされているアイコンを選択し、アイコンにリンクされているアプリケーションを起動することができる。
【００１８】
上述のように、カーソルを所定の位置に表示してアイコンをスクロールさせることで、アイコンがカーソルと重なってフォーカスされたときにボタンを押す動作だけでそのカーソルを選択することが可能になる。このようなユーザインタフェースには、次のような理利点がある。ユーザがカーソルを動かす必要がないため、カーソルを移動させるための入力手段が不要で端末装置の構造を簡略化することが可能、また、ユーザにとってはアイコン選択のための動作が簡単になる。画面が小さい携帯機器においては、カーソルを動かさずともスクロールされるアイコンがカーソルと重なる位置を通過するようにスクロールを制御することが容易である。また、アイコンが自動的（あるいは半自動的）にスクロールされるので、ユーザは受動的に情報の提供を受けることが可能になる。また、一度に画面に表示する範囲をアイコンが置かれた仮想空間の一部のみとし、仮想空間内の異なる領域を順次表示範囲とすることで、一度に表示されるアイコンの数を制限して見やすくし、かつ、ユーザが画面を眺めているうちに多くのアイコンを順次表示することができる。これは特に、画面が比較的小さい携帯機器において効果的な情報提示方法である。
【００１９】
画面には「終了」表示２０５，「メニュー（menu）」表示２０６が表示される。ユーザが入力部１０２で「終了」２０５に関連付けられた操作を行うことにより，アプリケーションを終了する。また，入力部１０２に関連付けられた操作を行うことにより，「メニュー」２０６を選択することができ，「メニュー」に関連付けられた複数のサブメニューを選択することができる。ここでは「終了」２０５と「メニュー」２０６と表示するが，ほかの表現を利用してもよい。
【００２０】
アイコン２０１のスクロール方向は一定方向あるいはランダムに方向を変化させてもよい。また，スクロール速度は一定速度，あるいは，ランダムに速度を変化させてもよい。ただし、スクロール方向が横向きの場合にはカーソルがグリッドの横の列に合う位置、スクロール方向が縦向きの場合にはカーソルがグリッドの縦の列に合う位置になるようにスクロールさせるようにすると、アイコンにカーソルがフォーカスされやすくなる。さらに，スクロールはユーザが操作をしない場合のスクロールと，ユーザ操作によるスクロールが可能であり，ユーザが操作をしない場合のアイコンの動きは，例えば、一定時間スクロールしたあと，カーソル位置でアイコンが一定時間停止する。ユーザがそのアイコンをクリックするとそのアイコンにリンクされたアプリケーションの起動等により詳細情報を取得することができる。ユーザがクリックしない場合は，一定時間経過後，アイコンは移動を再開する。アイコンが移動を再開する際に、スクロールの向きを変化させてもよい。スクロールを停止させる際には、アイコンが必ずカーソル位置で停止するようにするとよい。
【００２１】
ユーザ操作によるアイコンの動きは，ユーザが操作のためにボタンを押下している間，移動する。移動の速度は一定であってもよいし，変化（例えば加速）してもよい。ユーザがボタンを継続的に押下するのではなく，短時間（例えば0.5秒）押して離す場合には，最近接、またはカーソル位置に向かって移動中の最近接ののアイコンがカーソル位置に位置するようにして停止する。携帯端末に方向情報を指定できる入力部を持たせ、ユーザ入力により指定された方向にスクロールさせてもよい。
アイコン２０１の移動の方法として，なんらかのルールに基づいて移動することもできる。ルールとは，例えば再起動した場合に，電源を切る前に最後にアクセスしたアイコンを画面の中央に表示するというものでもよいし，アイコンにアクセスする頻度情報をサーバで管理し，その頻度に応じて画面に表示する頻度を増やす，または減らすというものでもよいし，あるいは，関連のあるアイコンを近傍に表示させるというのでもよいし，あるいは，そのほかのルールでもよい。
【００２２】
図３に示すように、アイコンにリンクされている情報に変化があった場合に，アイコン表示を情報変更前のアイコン３０１から情報変更後のアイコン３０２に変化させ，ユーザに情報の変更を通知する。例えば、コンテンツ管理サーバ１１６によって提供される天気予報サービスにリンクされているアイコンであれば、天気予報が晴れから雨に変更された場合に、表示されるアイコンを、太陽の図柄から傘の図柄にする等である。
また，図４に示すように、情報変更前のキャプション４０１から情報変更後のキャプション４０２に変化させ，ユーザに情報の変更を通知することもできる。
また，図５に示すように、情報変更前のアイコン５０１の周辺に情報の変更を現す印５０２を表示し，ユーザに情報の変更を通知してもよい。アイコン５０１の周囲に点滅する枠５０２を表示したり，アイコン自体を点滅させたり、音によりユーザに通知するなど、そのほかの印でもよい。
【００２３】
通話部１１１はユーザが入力部１０２の操作で通話機能とリンクしたアイコンを選択すると発信することができる。あるいは，予めアイコンに電話番号をリンクしておいて，アイコンを選択することで特定の相手に発信することも可能である。
メール機能１１２はユーザが入力部１０２の操作でメール機能とリンクしたアイコンを選択するとメールアプリケーションが起動し，メール送信先を記憶装置１０５に保存してある送信先リストから選択してメールを送信することができる。また，メールの送信先，メールのタイトル，メールの本文をあらかじめ指定したアイコンを作成し，該アイコンを選択することで，特定の相手に，特定のタイトルの，特定の内容のメールを送信することが可能である。送信先，メールのタイトル，メール本文はそれぞれ独立に指定することも可能であるし，これらのうちいくつかを指定することも可能である。
【００２４】
Webブラウザ１１３はユーザが入力部１０２でWebブラウザとリンクしたアイコンを選択するとWebブラウザが起動する。Webブラウザはインタネット網１１４を利用してWWWサーバ１１５からコンテンツを取得する。アイコンに特定のURLやコンテンツの存在場所を指定することにより，アイコンをクリックして特定のコンテンツを取得することも可能である。
【００２５】
ユーザは入力部１０２を操作して通信部１０３を利用してコンテンツ管理サーバ１１６と通信しコンテンツを取得したり，ほかの情報端末と通信したりすることができる。また，端末間通信を利用して，ほかの人の携帯端末アプリケーションを起動させることも可能である。
ユーザが入力部１０２でカメラを操作し，カメラで撮影した画像データを記憶装置１０５で記録しデータフォルダ１０９に保存したデータファイルをアイコンとして画面に表示できる。
記憶装置１０５にはセンサ１０７で取得した情報も保存される。センサで取得できる情報は，ここでは，位置，加速度，チルト，地磁気の各センサで取得可能な情報とするが，ほかのセンサで取得できる情報であってもよい。
【００２６】
記憶装置にデバイス情報取得部１０８で取得した携帯端末の状態（以下デバイス情報という）を保存できる。ここでは，デバイス情報とは，電界強度，バッテリ残量，充電中かどうか，開閉式の携帯端末の開閉状態，通信料金，電源のONまたはOFFとするが，そのほかの情報でもよい。
電界強度が弱い場合，またはバッテリ残量が少ない場合，通信部１０３から予め定められているほかの携帯端末に通信を行い，ほかの携帯端末画面に「端末Ａはバッテリー残量『小』」などのメッセージ７０１を表示する。あるいは，アイコン２０１の変化，キャプション２０４の変化など，ほかの手段を利用してユーザの状態を通知してもよい。ネットワークに接続された基地局において、ユーザが携帯端末の電源を切っていることや、電界強度が弱いことを検知し、他の携帯端末にその情報を通知してもよい。各携帯端末ごとの、情報通知先の他の携帯端末は、コンテンツ管理サーバ等に予め記憶されているものとする。
【００２７】
通信料金が一定額を超えると，ユーザに通信料金がかかりすぎている旨を通知するメッセージを携帯端末の画面に表示７０１する。あるいは，アイコン２０１の変化や新たなアイコンの追加，キャプション２０４の変化など，ほかの手段を利用して料金の状態を通知してもよい。
図6は詳細情報を表示する画面の説明図である。カーソル２０３にフォーカスされたアイコン２０１を入力部１０２の操作により選択すると詳細情報を取得できる。
詳細情報は情報を象徴する画像６０１と情報の詳細説明文６０２のどちらか一方，または両方を表示する。詳細説明文６０２が画面内に表示できない場合にはスクロールバー６０３を表示し，スクロールを可能にする。また，画面左下には「戻る」表示６０４があり，入力部１０２の操作により「戻る」に関連付けられた操作が行われると，メイン画面（図2）を表示する。「戻る」以外の表現を利用してもよい。
【００２８】
メイン画面（図2）において「menu」２０６を選択するとサブメニュー一覧が表示される。サブメニューはここでは「アイコン一覧」８０１，「アイコンの登録」８０２，「アイコンの削除」８０３，「状態の登録」８０４とするが，ほかのサブメニューでもよい。サブメニュー画面の左下の「戻る」８０５に関連付けられた操作を入力部１０２で行うことにより，メイン画面を表示できる。
【００２９】
サブメニューから「アイコン一覧」８０１を選択するとアイコンとして画面に表示されている機能や情報の一覧が表示される９０１。画面の左下の「戻る」９０２に関連付けられた操作を入力部１０２で行うことにより，サブメニュー画面を表示できる。
サブメニューから「アイコンの登録」８０２を選択すると新しいアイコンを画面に表示するための登録を行う画面が表示される。この画面は，アイコンとして表示する機能や情報の名前１００１，画面に表示するキャプション名１００２，アイコンとして使用する画像名前１００３，アイコンのリンク先１００４の項目を入力するための画面であり，各項目を入力するためのエリア１００５に入力する。これ以外の自今の属性を現す項目を利用してもよい。入力後，「登録」ボタン１００６を選択することにより，新しいアイコンが画面に表示されるようになる。
【００３０】
アイコンにリンクする機能としては、コンテンツ管理サーバ等により提供されるサービスを指定することもできる。例えば、時事ニュースやヒット曲情報の通知サービスなど、提供されるサービスのリストをコンテンツ管理サーバから取得し、好みの情報通知サービスを、表示させるアイコンにリンクする機能として登録できるようにする。通知サービスが登録されたことは、携帯端末のＩＤ情報とあわせてコンテンツ管理サーバに通知されて登録される。コンテンツ管理サーバでは、登録された通知サービスに新しい情報が発生すると、登録を行った携帯端末に向けてその情報、または情報が発生したことの通知を送信する。携帯端末では、更新された情報の一部若しくは全体、または情報が更新されたことの通知の着信があると、例えば図３から５に示すような方法を用いて着信をユーザに知らせる。コンテンツ管理サーバからアイコン表示を変更するための表示制御情報や新たなアイコンやを送信し、これらの情報を利用して端末装置が表示するアイコンを制御するようにしてもよい。ユーザが通知サービスに対応するアイコンをクリックすると、詳細情報を閲覧することができる。情報が発生したことのみがはじめに送信される場合においては、携帯端末は、クリックが入力されると通知サービスの情報が蓄積されているアドレスにアクセスして情報を入手する。コンテンツ管理サーバは、新しい情報が発生した際に、その情報にあわせたアイコン（ニュースの種類を示す図柄、アーティストの写真など）を併せて送信して携帯端末に表示させてもよい。上述のように、ユーザは興味のある情報の種類を指定すれば、サービス提供者が選別する情報の提供を受けることができる。
【００３１】
サブメニューから「アイコンの削除」８０３を選択すると画面に表示したくないアイコンを削除するため操作を行う画面が表示される。この画面は，登録済みのアイコンの一覧１１０１とチェックエリア１１０２と「削除」ボタン１１０４を表示する。削除したいアイコンのチェックエリア１１０２にチェックマーク１１０３を入力し，削除ボタン１１０４を選択すると，アイコンが削除される。チェックエリアの変わりにカーソルで選択するようにしてもよい。
【００３２】
サブメニューから「状態の登録」８０４を選択するとその端末のユーザの状態を登録するため操作を行う画面が表示される。ここでは，自分の状態とは，「ヒマ」「忙しい」「仕事中」とするが，このほかの状態を設定してもよい。この画面は，「ヒマ」１２０１，「忙しい」１２０２，「仕事中」１２０３の核項目とチェックエリア１２０４と「登録」ボタン１２０６を表示する。登録したい状態のチェックエリア１２０４にチェックマーク１２０５を入力し，登録ボタン１２０６を選択すると，登録した状態がほかのユーザの携帯端末に通信部１０３から通信される。チェックエリアの変わりにカーソルで選択するようにしてもよい。また、種々のデバイス情報の状態のうち特定の状態をいずれかのユーザ状態と対応付けるための入力を可能にしておいてもよい。この設定により、デバイス情報が特定の状態になったときには、対応付けられたユーザ状態になっていると推定され、他の端末への通知などが行われる。
【００３３】
表示させるアイコンや、自局の状態を他の端末に通知する（表示させる）か否か、他局の状態情報を自局のアイコンとリンクさせるか、などの設定情報は、各端末の記憶装置１０５に記憶しておいてもよいし、コンテンツ管理サーバなど、インタネット網に接続されるたの機器に保持してもよい。
【００３４】
次に本発明の画面バリエーションに関して説明する。図１３は3次元的な奥行きのある空間を表す画面である。カーソル１３０１は画面中央に表示される。アイコンはここでは奥１３０２，中央１３０３，手前１３０４の3列とするが，列の数はこれより多くても少なくてもよい。カーソル１３０１で選択されたアイコンのないようを表すキャプション１３０５がアイコンの近傍に表示される。入力部１０２からのユーザ操作により，アイコンが前後左右に移動する。
図１４は4分割画面の説明である。この画面では，カーソル１４０６は画面の上半分または下半分をユーザ操作により選択する。カーソルで選択されないエリアの半分にアイコン１４０２，残りの半分にアイコン内容を説明する文１４０１，およびキャプション１４０３を表示し，カーソルで選択されたエリアの半分にアイコン１４０４，残りの半分にアイコン内容を説明する文１４０５，およびキャプション１４０７を表示する。カーソルで選択されたエリアの文字１４０５はスクロールする。カーソルに選択されていないエリアは一定時間ごとにアイコンと文字列とキャプションが更新される。
【図面の簡単な説明】
【００３５】
【図１】本発明の，システムの概要を示す説明図である。
【図２】本発明の，一画面を示す説明図である。
【図３】本発明の，情報更新時のアイコン変化を示す説明図である。
【図４】本発明の，情報更新時のキャプション変化を示す説明図である。
【図５】本発明の，情報更新時の画面変化を示す説明図である。
【図６】本発明の，アイコン選択時の詳細情報取得画面を示す説明図である。
【図７】本発明の，メッセージ表示を示す説明図である。
【図８】本発明の，サブメニュー画面を示す説明図である。
【図９】本発明の，登録アイコン一覧画面を示す説明図である。
【図１０】本発明の，アイコン登録画面を示す説明図である。
【図１１】本発明の，アイコン削除画面を示す説明図である。
【図１２】本発明の，状態登録画面を示す説明図である。
【図１３】本発明の，3次元的な画面を示す説明図である。
【図１４】本発明の，4分割画面を示す説明図である。
【符号の説明】
【００３６】
101：表示部、102：入力部、103：通信部、104：演算部、105：記憶装置、106：カメラ情報読み取り部、107：センサ情報読み取り部、108：デバイス情報読み取り部、109：情報閲覧プログラム、110：データフォルダ、111：通話部、112：メール、113：Webブラウザ、114：インタネット網、115：WWWサーバ、116：コンテンツ管理サーバ、
201：アイコン、202：グリッド、203：カーソル、204：キャプション、205：「終了」ボタン、206：「menu」ボタン、
301：情報変更前のアイコン、302：情報変更後のアイコン、
401：情報変更前のキャプション、402：情報変更後のキャプション、
501：アイコン、502：アイコンの枠、
601：アイコン、602：アイコンを説明するテキスト、603：スクロールバー、604：「戻る」ボタン、
701：メッセージ文、
801：「アイコン一覧」サブメニュー、802：「アイコンの登録」サブメニュー、803：「アイコンの削除」サブメニュー、804：「状態の登録」サブメニュー、805：「戻る」ボタン、
901：アイコン名称、902：「戻る」ボタン、
1001：「名前」項目、1002            ：「キャプション名」項目、1003：「画像」項目、1004：「リンク先」項目、1005：入力エリア、1006：削除ボタン、1007：「戻る」ボタン、
1101：アイコンの名称、1102：チェックエリア、1103：チェックマーク、1104：削除ボタン、1105：「戻る」ボタン、
1201：「ヒマ」状態を示す項目、1202：「忙しい」状態を示す項目、1203：「仕事中」状態を示す項目、1204：チェックエリア、1205：チェックマーク、1206：登録ボタン、1207：「戻る」ボタン、
1301：カーソル、1302：アイコン、1303：アイコン、1304：アイコン、1305：キャプション、
1401：アイコン内容を説明するテキスト、1402：アイコン、1403：キャプション、1404：アイコン、1405：アイコン内容を説明するテキスト、1406：カーソル、1407：キャプション。
【図１】
2005165491.tif 000003
【図２】
2005165491.tif 000004
【図３】
2005165491.tif 000005
【図４】
2005165491.tif 000006
【図５】
2005165491.tif 000007
【図６】
2005165491.tif 000008
【図７】
2005165491.tif 000009
【図８】
2005165491.tif 000010
【図９】
2005165491.tif 000011
【図１０】
2005165491.tif 000012
【図１１】
2005165491.tif 000013
【図１２】
2005165491.tif 000014
【図１３】
2005165491.tif 000015
【図１４】
2005165491.tif 000016